(57)【要約】      （修正有）【課題】シートを簡単かつ安全に種々の凹凸形状に切断でき、デザインや遊びで使える方法を提供する。【解決手段】辺の一部又は全部が複数の連続した凹凸形状３をなす薄板部材１をシート２の所定領域上に押し当てた後、上記シート２の所定領域以外の部分を引っぱり上げることにより、シート２を上記凹凸形状３に沿った形に破断する。【選択図】図１９
2016144596.tif 000002
【特許請求の範囲】
【請求項１】
辺の一部又は全部が、複数の連続した凹凸形状をなす薄板部材をシート上に押し当てた後、前記シートにおける前記薄板部材が載っていない領域を引っぱり上げることにより、シートを前記凹凸形状に沿った形に破断することを特徴とするシート破断方法。
【請求項２】
シートは紙である請求項１記載のシート破断方法。
【請求項３】
互いに異なる形状をなす第１薄板部材及び第２薄板部材を用いた請求項１記載のシート破断方法であって、
前記第１薄板部材及び第２薄板部材に形成された凹凸形状の一部が、共有の形状に構成されており、それら共通した凹凸形状をなす辺同士を嵌め合わせて前記第１薄板部材及び第２薄板部材を組み合わせた組合部材を、シート上に押し当てた後、前記シートにおける前記組合部材が載っていない領域を引っぱり上げることにより、シートを前記凹凸形状に沿った形に破断することを特徴とするシート破断方法。
【発明の詳細な説明】
【技術分野】
【０００１】
本発明は薄板部材を用いたシート切断方法に関する。    
【背景技術】
【０００２】
シートを直線的に切断するための器具として、ハサミ、カッターなどがある。ハサミを用いて連続した凹凸形状に切断する場合、時間がかかり均一に切断することは困難である。また同一形状に切断することも難しい。カッターの場合、安全に扱うことが難しく、また下敷きを使用する必要がある。その他に定規を押し当ててシートを切断する方法がある。刃物ではないため安全にシートを切断することが出来るがこの場合直線のみの切断となる。
その他、シートを切断する器具として特許文献１に示すように、家庭用ラップの切断歯なども知られている。
【先行技術文献】
【特許文献】
【０００３】
【特許文献１】特開２００１−１９８８７７
【発明の概要】
【発明が解決しようとする課題】
【０００４】
本発明は前記課題を一挙に解決すべくなされたものであり、辺が例えばギザギザの定規であっても、定規をシートに押し当てて引っ張り上げることで、そのギザギザの辺と同じ形状にシートを破ることが出来ることに初めて気がついてなされたものである。
【課題を解決するための手段】
【０００５】
すなわち本発明は辺の一部又は全部が、複数の連続した凹凸形状をなす薄板部材をシートの所定領域上に押し当てた後、上記シートの所定領域以外の部分を引っぱり上げることにより、シートを上記凹凸形状に沿った形に破断することを特徴とするシート破断方法である。
【発明の効果】
【０００６】
この破断方法により、例えばハサミやカッターの扱いが困難である幼児であっても安全にかつ容易にシートを均一な凹凸形状に破断することが可能である。また同一形状にシートを破断することが出来る。
破断したシートを用いて例えば貼り絵などの工作に使用することができる。破断された凹凸形状を組み合わた平面構成を行なったり、凹凸形状を例えば山並や動物の毛並みなどに見立てた工作を行なうことが出来る。上記にあるように幼児でも容易に安全に工作を行なうことが可能であり、幼児教育における造形教育の現場などでも用いることが出来る。
【図面の簡単な説明】
【０００７】
【図１】一実施形態における薄板部材の平面図
【図２】一実施形態における薄板部材の平面図
【図３】一実施形態における薄板部材の平面図
【図４】一実施形態における薄板部材の平面図
【図５】一実施形態における薄板部材の平面図
【図６】一実施形態における薄板部材の平面図
【図７】一実施形態における薄板部材の平面図
【図８】一実施形態における薄板部材の平面図
【図９】一実施形態における薄板部材の平面図
【図１０】一実施形態における薄板部材の平面図
【図１１】一実施形態における薄板部材の平面図
【図１２】一実施形態における薄板部材の平面図
【図１３】一実施形態における薄板部材の平面図
【図１４】一実施形態における薄板部材の平面図
【図１５】一実施形態における薄板部材の平面図
【図１６】一実施形態における薄板部材の平面図
【図１７】本発明のシート破断方法を示す説明図
【図１８】本発明のシート破断方法を示す説明図
【図１９】本発明のシート破断方法を示す説明図
【図２０】本発明のシート破断方法を示す説明図
【図２１】本発明のシート破断方法を示す説明図
【図２２】本発明のシート破断方法を示す説明図
【図２３】本発明のシート破断方法を示す説明図
【図２４】本発明のシート破断方法を示す説明図
【発明を実施するための形態】
【０００８】
以下、本発明の実施の形態を図に基づいて説明する。
【０００９】
本実施形態に係る薄板部材１は、例えばキャスト成形によるアクリル板などの１ミリ〜３ミリ程度の高硬度の材質からなる。
図１〜６の薄板部材１は、例えば帯状をなし、その辺に連続した凹凸形状３が形成してある。その凹凸形状３のピッチは、例えば５ｍｍ〜１５ｍｍであり、高さは３ｍｍ〜１５ｍｍである。その他、ピッチを１５ｍｍ〜４５ｍｍ、高さを１５ｍｍ〜２３ｍｍにしてもよい。
図１〜３の凹凸形状３は連続した鋭角形状を有しており、角度、大きさにより異なる形状をなす。図４は鋭角形状が一定ピッチに連続した凹凸形状３を有する。図５は頂点の尖ったアーチ型が連続した凹凸形状３を有する。図６は先の尖った牙状の連続した凹凸形状３を有する。また図７〜９は円形、半円の外側あるいは内側に細かい凹凸形状３を有している。図１０〜１６は末広がりの形状をなしている。
【００１０】
次に図１７〜２４に基づいてこの薄板部材１を使ってシート２である紙を破断する方法について説明する。まず薄板部材１を紙の所定領域上に押し当て固定する。次に紙の所定領域以外の部分を掴み、薄板部材１の凹凸形状３に沿って紙を引っ張り上げることで紙を凹凸形状３に沿った形状に破断される。
【００１１】
さらに薄板部材１は組み合わせても使用することが出来る。互いに異なる薄板部材１には組み合わせることで図２１のように一体化出来る共通した凹凸形状３が設けられている。例えば波型形状をしており、破断する際の位置決めが可能であり、複数の部材を同時に使用することも出来る。主に図１〜６の帯状の部材と９〜１６の末広がり状の部材を組み合わせて使用する。
図２２にあるように紙の所定領域上に一体化した薄型部材１を押し当て固定する。次に前記と同様に紙の所定領域以外の部分を掴み、末広がり状の部材に沿って紙を引っ張り上げることにより末広がりの形状に紙が破断される。このとき帯状の部材の波型形状がストッパーの役割を果たし、末広がり状の薄板部材１と同一形状に紙が破断される。
凹凸形状３に破断された紙は例えば貼り絵などの工作に用いることができる。例えば図１０の薄板部材１を使って上記方法で紙を破断し、破断された部分をめくりあげて立ち上げることで富士山に模した形状を作ることが出来る。また例えば折り紙などの色彩のある紙を前記破断方法で破断し、張り合わせることで富士山の雪化粧を表現することが出来る。また例えば同一形状に破断された紙を張り合わせた平面作品なども制作することが出来る。
【符号の説明】
【００１２】
１…薄板部材
２…シート
３…凹凸形状
【図１】
2016144596.tif 000003
【図２】
2016144596.tif 000004
【図３】
2016144596.tif 000005
【図４】
2016144596.tif 000006
【図５】
2016144596.tif 000007
【図６】
2016144596.tif 000008
【図７】
2016144596.tif 000009
【図８】
2016144596.tif 000010
【図９】
2016144596.tif 000011
【図１０】
2016144596.tif 000012
【図１１】
2016144596.tif 000013
【図１２】
2016144596.tif 000014
【図１３】
2016144596.tif 000015
【図１４】
2016144596.tif 000016
【図１５】
2016144596.tif 000017
【図１６】
2016144596.tif 000018
【図１７】
2016144596.tif 000019
【図１８】
2016144596.tif 000020
【図１９】
2016144596.tif 000021
【図２０】
2016144596.tif 000022
【図２１】
2016144596.tif 000023
【図２２】
2016144596.tif 000024
【図２３】
2016144596.tif 000025
【図２４】
2016144596.tif 000026
【手続補正書】
【提出日】平成28年1月12日(2016.1.12)
【手続補正１】
【補正対象書類名】特許請求の範囲
【補正対象項目名】全文
【補正方法】変更
【補正の内容】
【特許請求の範囲】
【請求項１】
縁の一部又は全部に複数の連続した凹凸形状が形成された薄板部材を、その面がシートに接触するようにシート上に押し当てた後、前記シートにおける前記薄板部材が載っていない領域を引っぱり上げることにより、シートを前記凹凸形状に沿った形に破断することを特徴とするシート破断方法。
【請求項２】
シートは紙である請求項１記載のシート破断方法。
【請求項３】
互いに異なる形状をなす第１薄板部材及び第２薄板部材を用いた請求項１記載のシート破断方法であって、
前記第１薄板部材及び第２薄板部材に形成された凹凸形状の一部が、共有の形状に構成されており、それら共通した凹凸形状をなす辺同士を嵌め合わせて前記第１薄板部材及び第２薄板部材を組み合わせた組合部材を、その面がシートに接触するようにシート上に押し当てた後、前記シートにおける前記組合部材が載っていない領域を引っぱり上げることにより、シートを前記第１薄板部材又は前記第２薄板部材に形成された凹凸形状のうち前記共通した凹凸形状とは別の部分に沿った形に破断することを特徴とするシート破断方法。